(57)【要約】【課題】主に駅弁などの弁当箱に添えられているソースや醤油を入れる調味料入れ容器の表面に、盛り付けられたおかずなどから出る油分やタレが付着することで、調味料入れ容器を摘んだ指が汚れることをなくすこと。【解決手段】二つの出っ張り部を用いた保持部か、先端部分が二股に開いた保持部を、弁当箱本体に盛り付けられたおかずなどと接触しないスペースである、主に弁当箱の上蓋部の内面に設けることで、従来のように、盛り付けられたおかずと一緒に置かれていた調味料入れ容器とは違い、おかずなどから出る油分やタレが調味料入れ容器の表面に殆ど付着しなくなるので、調味料入れ容器を指で摘んで中身を出しても、調味料入れ容器を摘んだ指は汚れにくくなる。【選択図】　　図１
2004089637.tif 000002
【特許請求の範囲】
【請求項１】
駅やコンビニエンスストアなどの小売店で販売されている弁当箱において、弁当箱本体（１）に盛り付けられた、おかずなどと接触しにくい位置である、主に、弁当箱の上蓋部（２）内面に、保持部（３）を設ける。保持部（３）は、二つの出っ張り部を離して設けることにより、一つの保持部（３）とする。保持部（３）の出っ張り部のうち、少なくとも、一つの出っ張り部について、先端部分をもう一方の出っ張り部側に向けて鍵爪状のように曲げておくことで、ソースや醤油の調味料を入れた筒状の調味料入れ容器（４）の先端に付いているキャップ（７）を予め外しておいた状態で、鍵爪状にした保持部（３）の一方の出っ張り部側を吐出口（５）に差し込んで吐出口（５）を密閉して塞ぎ、底部（６）を、鍵爪状にした保持部（３）のもう一方の出っ張り部側にあてがい、調味料入れ容器（４）の前後から保持部（３）で保持することで、調味料入れ容器（４）にキャップ（７）が付いていなくても、中身が洩れることなく保持するとともに、主に、上蓋部（２）内面に保持部（３）を設けて調味料入れ容器（４）を保持させて取り付けておくことにより、下側の弁当箱本体（１）盛り付けている、おかずなどとの接触を極力なくし、おかずなどから出る油分やタレが調味料入れ容器（４）表面に殆ど付着しなくすることで、調味料入れ容器（４）の中身をおかずにかける際、調味料入れ容器（４）を指で摘んでも、指先が汚れることがなくなるように為された保持部（３）を設けた弁当箱。
【請求項２】
保持部（３）の二つの出っ張り部の形状において、請求項１のように、鍵爪状とせず、保持部（３）の出っ張り部の先端の形状を、フラット形状に近づけることで、キャップ（７）が付いた調味料入れ容器（４）を保持しやすくするための保持部（３）を設けた請求項１の弁当箱。
【請求項３】
調味料入れ容器（４）の一方の先端部にはキャップ（７）を取り付けたまま、調味料入れ容器（４）の側面を、先端部分が二股に開いた保持部（３）で挟み込むようにして保持できるように為された保持部（３）を設けた請求項１の弁当箱。
【発明の詳細な説明】
【０００１】
【発明の属する技術分野】
本発明は、駅やコンビニエンスストアなどの小売店で販売されている弁当箱において、弁当箱の内部に添えられているソースや醤油の調味料入れ容器を従来のように、弁当箱本体に盛り付けられている、おかずなどと一緒に添えるのではなく、弁当箱内部の、主に、上蓋部内側に保持部を設け、保持部で調味料入れ容器を保持することで、おかずの油分やタレが調味入れ容器表面に殆ど付着させなくすることによって、調味料入れ容器を摘んで中身を吐出させておかずにかける際、指先が汚れにくく為された弁当箱に関する。
【０００２】
【従来の技術】
従来は、弁当箱の上蓋部を開けると、弁当箱本体にごはんやおかずが盛り付けられているが、調味料入れ容器は、弁当箱本体のおかずを盛り付けている部分におかずと一緒にむき出しのまま置かれているため、中身を出そうと、片手で調味料入れ容器の筒状部分を摘み、もう一方の手で、キャップを外して吐出させる際、おかずの油分やタレが調味料入れ容器の表面に付着しているので調味料入れ容器を摘んだ両手の指先が汚れてしまっていた。
【０００３】
【発明が解決しようとする課題】
従来は、駅やコンビニエンスストアなどの小売店で販売している弁当箱の上蓋部を開けると、弁当箱本体にごはんやおかずが盛り付けられているが、ソースや醤油を入れている調味料入れ容器は、仕切りで仕切っている弁当箱本体のおかずなどを盛り付けている部分に、おかずと一緒にむき出しのまま無造作に置かれているので、中身の調味料を出す際、調味料入れ容器の筒状部分を片手で摘み、もう一方の手でキャップを外して中身を吐出口から押し出してかける際、調味料入れ容器は、むき出しのままおかずと一緒に置かれていたので、調味料入れ容器の表面におかずの油分やタレがたっぷり付着しているため、調味料入れ容器を摘んだ両手の指先が汚れてしまい、お手拭きが付いていても一度最初に手を拭いたお手拭きを使って指先をもう一度よく拭き取らなければならず衛生的ではなかった。また、お手拭きが付いていない場合、洗面所が近くにあれば手を洗うことができるが、旅先や出先、公園で弁当を食べることが多く手を洗うことができない場合、指先が汚れていると厄介な上、誤って、指先を衣服に接触させ衣服を汚してしまうこともあり大変であったため、調味料入れ容器を弁当箱の中に入れて提供するとき調味料入れ容器表面がおかずの油分やタレで汚れにくく為された弁当箱が求められていた。また、いちいちおかずの油分やタレで汚れているキャップを外すことも面倒であった。
【０００４】
【課題を解決するための手段】
調味料入れ容器の表面に、おかずの油分やタレが付着しないように、調味料入れ容器の置き場所を、弁当箱本体に盛り付けているおかずなどと一緒にせずに、主に、上蓋部の内面に取り付けるのである。調味料入れ容器を弁当箱の上蓋部に保持するとき、弁当箱を開ける前、上蓋部の内面は、下側に位置するおかずなどを盛り付けた弁当箱本体の方を向いていて、弁当を食べるとき、弁当箱本体を台の上に置いたまま、上蓋部を上げ、上蓋部をひっくり返して、上蓋部の内面が仰向けになるように台に置いて食べるようになるので、上蓋部に調味料入れ容器を取り付けるときは、調味料入れ容器が弁当箱の中で移動せず、上蓋部を弁当箱本体から上げるときも、調味料入れ容器が脱落しないように保持しなければならず、二つの出っ張り部を用いる保持部で調味料入れ容器の吐出口と底部を前後に保持するか、先端部分が二股に開いた出っ張り部を用いる保持部で、調味料入れ容器の筒状部分を左右から挟み込むようにして保持するのである。調味料入れ容器を上蓋部内面などの、特に、おかずと接触しないスペースに保持して取り付けておくことで、弁当箱本体を台の上に置いて、上蓋部を開けると、上蓋部内面に設けた保持部に調味料入れ容器が保持されていて、弁当箱本体に盛り付けられているおかずなどと接触していないので、弁当箱を運んでいるときに、おかずが動いて調味料入れ容器に触れても、従来のように一緒にしておくより油分やタレが付着せず、おかずが接触しなければ殆どきれいな状態で保持している調味料入れ容器を保持部から外して中身を出して、おかずにかけることができるようになり、調味料入れ容器を指で摘んでも指先は汚れにくくなっているのである。また、請求項１のように、保持部の先端部分の形状を鍵爪状の出っ張り部とし、一方の鍵爪状の出っ張り部を調味料入れ容器の吐出口に差し込んで保持しておけば、調味料入れ容器のキャップが要らなくなり、従来のように、いちいち、キャップを外して中身を出さなくても、調味料入れ容器を保持部から片手で外して、そのまま調味料入れ容器から中身を出して、おかずにかけることができるようになるのである。
【０００５】
【発明の実施の形態】
本発明は、駅やコンビニエンスストアなどで販売されている弁当箱の中に添えられている調味料入れ容器を弁当箱本体に盛り付けられた、おかずなどと接触させないように、保持し、また、保持する位置を考慮することにより、調味料入れ容器の表面におかずの油分やタレを付着させないことで、調味料入れ容器を摘んだ指先が汚れないように為された弁当箱である。
【０００６】
調味料入れ容器を弁当箱の上蓋部の内面を使用することによって、弁当箱の中で特におかずと接触しないような位置に保持することができ、おかずの油分やタレが付着しにくくなり効果的である。また、弁当箱に保持部を設け、調味料入れ容器を保持する位置として、弁当箱本体に盛り付けている、おかずなどと接触して調味料入れ容器の表面に油分やタレが付きにくい位置を確保できる構造の弁当箱であれば、上蓋部内面以外の、その位置に保持部を設けても良いのである。
【０００７】
上蓋部の内面の保持部に取り付けられた調味料入れ容器は、弁当箱を開ける前、おかずなどを盛り付けている弁当箱本体側である下を向いて保持されており、上蓋部を持ち上げて、弁当箱を開けた後、上蓋部は、仰向けにされ台の上に置かれるので、調味料入れ容器は、今度は上を向いて保持されていなければならず、調味料入れ容器を弁当箱の上蓋部内面に取り付けるときは、保持部を用いて保持することによって、弁当箱の中で、調味料入れ容器が動き回らないように保持しなければならないのである。
【０００８】
保持部は、請求項１と請求項２の場合は、調味料入れ容器を、吐出口と底部の前後から挟み込んで保持し、請求項３の場合は、調味料入れ容器の筒状部分を側面から挟み込むようにして保持するのである。
【０００９】
保持部の大きさや、保持部分の高さは、調味料入れ容器を弁当箱の中で保持でき、保持した調味料入れ容器が、盛り付けているおかずなどに接触しないようにしなければならないため、弁当箱の大きさや高さ、調味料入れ容器の大きさによって変えても良いのである。
【００１０】
保持部の形状は、請求項１と請求項２の場合は、二つの出っ張り部を保持部とし、二つの出っ張り部を離して設け、一方の出っ張り部を調味料入れ容器の吐出口側にあてがい、もう一方の出っ張り部を調味料入れ容器の底部側にあてがい、調味料入れ容器を前後から挟み込むようにして保持するのである。請求項３の場合は、弁当箱に取り付ける根元部分が一本で、先端部分が二股に開いた出っ張り部を保持部とし、調味料入れ容器の筒状部分の側面から、先が二股に開いた部分で挟み込むようにして保持するのである。
【００１１】
請求項１と請求項２の保持部の場合、二つの出っ張り部どうしを離しておく距離は、調味料入れ容器の長さにより、調味料入れ容器を前後から保持できるように離しておかなければならない。また、請求項３の場合は、二股に開いた先端部分の大きさも、調味料入れ容器の太さにより、調味料入れ容器の側面を挟んで保持できる大きさにしなければならない。
【００１２】
請求項１の場合、保持部とする出っ張り部の先端を少なくとも一方の出っ張り部において、他方の出っ張り部側に曲げて、鍵爪状とすることで、調味料入れ容器の吐出口に鍵爪部分を差し込み密閉し、他方の出っ張り部に調味料入れ容器の底部をあてがって保持することで、調味料入れ容器のキャップが不要になり、いちいちキャップを外すことなく中身を吐出させることができるのである。
【００１３】
請求項２の場合は、調味料入れ容器にキャップを取り付けたまま保持するので、二つの出っ張り部の先端部分はフラットな状態にしておくと、調味料入れ容器の底部側と先端部分が尖っている調味料入れ容器のキャップ側を保持部で前後から保持しやすくなるのである。
【００１４】
弁当箱の中で、調味料入れ容器を保持するための保持部の保持力は、片手で調味料入れ容器を摘んで簡単に取り外すことができながらも、弁当箱を売店などに運ぶときや、購入者が移動のため運ぶとき、振動や揺れで、保持部から調味料入れ容器が容易に脱落しないような保持力が必要である。
【００１５】
本発明に使用する調味料入れ容器は、ビニール袋にパックされているタイプは柔らかすぎて保持できないので、プラスチック樹脂などで製造された筒状タイプの中に調味料が入っている調味料入れ容器を使用すると効果的である。
【００１６】
弁当箱に保持部を設けるときは、弁当箱を成形する際に、一体成形で保持部も一緒に設ける方法以外に、弁当箱と保持部を別々に成形したあと、弁当箱に保持部を取り付けて設ける方法でも良いのである。
【００１７】
弁当箱成形したあとから保持部を弁当箱に取り付けるときは、保持部が容易に弁当箱から外れないように、接着剤などで固着した方が良く、請求項１や請求項２のように、保持部を構成する二つの出っ張り部を取り付けなければならないときは、先に、台座に出っ張り部を設けた保持部を成形し弁当箱に取り付けるようにすると、弁当箱への保持部の取り付けが１回で済み便利である。
【００１８】
筒状の調味料入れ容器に調味料を入れた場合、調味料入れ容器の側面を左右から押さなければ、吐出口を下に向けただけでは中身は出づらく、請求項１の場合は、吐出口を出っ張り部で塞いでいるのでキャップなしの調味料入れ容器で良いが、請求項２と請求項３の場合は、キャップを付けておいた調味料入れ容器を使用した方が安全である。
【００１９】
本発明は、主に、駅弁やコンビニエンスストアなどの小売店で販売される弁当や、持ち帰り弁当の弁当箱の中に、調味料入れ容器の保持部を設けることを主としているが、それ以外には、家庭で盛り付けて会社や学校に持って行く、金属製やプラスチック製の使い捨てではない弁当箱にも応用できるのである。
【００２０】
また、保持部を設けた台座ごと金属製の弁当箱に取り付けることもできるのである。
【００２１】
保持部を取り付ける位置は、弁当箱の内面以外に、弁当箱の外側でも、盛り付けているおかずなどと、保持した調味料入れ容器が接触しないので弁当箱の外側に取り付けても良いが、弁当箱の外側に保持する場合は、保持した調味料入れ容器が置かれている環境で汚れないように考慮して設ける必要がある。
【００２２】
【実施例】
実施例について、図面を参照して説明すると、図１において、請求項１の実施例を示す図であり、駅弁に代表される弁当箱の上蓋部（２）の内面に、それぞれの取り付け位置を離した二つの出っ張り部を用いて、保持部（３）を設ける。保持部（３）を構成する二つの出っ張り部は、先端部分を鍵爪状とし、それぞれ相対する出っ張り部側に曲げておく。
【００２３】
図２では、請求項１の取り付け図であり、ソースなどの調味料を入れた調味料入れ容器（４）を弁当箱の上蓋部（２）内面に取り付けるとき、調味料入れ容器（４）のキャップ（７）を外したまま、吐出口（５）を保持部（３）の一方の出っ張り部の鍵爪にあてがい、中身が洩れないように、差し込んで吐出口（５）を塞いで密閉し、調味料入れ容器（４）の底部（６）側を他方の出っ張り部にあてがい、調味料入れ容器（４）を前後から保持部（３）で保持することで弁当箱に調味料入れ容器（４）を取り付ける。
【００２４】
図３では、請求項１の断面図であり、ごはんやおかずを盛り付けた弁当箱本体（１）を下側にして台の上に置くと、弁当箱本体（１）の上側には上蓋部（２）が被せられており、上蓋部（２）内面に設けた保持部（３）に保持された状態で調味料入れ容器（４）が下側の弁当箱本体（１）側を向いて取り付けられており、弁当を食べるために、上蓋部（２）を持ち上げて、上蓋部（２）をひっくり返した際、今度は、上を向いた状態で保持部（３）に保持されている調味料入れ容器（４）を片手の指で摘んで保持部（３）から外すと、調味料入れ容器（４）には、キャップ（７）が付いていないので、調味料入れ容器（４）の吐出口（５）から、そのまま、おかずに中身を出してかけることができるのである。また、調味料入れ容器（４）は、上蓋部（２）の保持部（３）に保持されていて、弁当箱を運ぶ際、動くことはなく、従来の弁当箱のように、調味料入れ容器（４）がおかずなどと一緒に盛り付けられていないので、調味料入れ容器（４）表面におかずの油分やタレが付着することが殆どないので、調味料入れ容器（４）を摘んだ指が、おかずの油分やタレで汚れることが殆どなくなるのである。
【００２５】
図４では、弁当箱内部の上蓋部（２）内面に保持部（３）を設け、調味料入れ容器（４）のキャップ（７）が外された状態で吐出口（５）を、保持部（３）を構成している、先端部分が鍵爪状の一方の出っ張り部にあてがって差し込み、調味料入れ容器（４）の底部（６）を他方の出っ張り部にあてがい、調味料入れ容器（４）を前後から、二つの出っ張り部を用いた保持部（３）で挟み込んで保持することで、調味料入れ容器（４）は、弁当箱を持ち運んだりしても、内部で動かないまま保持されている内容を示す保持部（３）の拡大断面図である。また、請求項１の場合、調味料入れ容器（４）にキャップ（７）が無くとも、保持部（３）の一方の出っ張り部の鍵爪状にされた先端が吐出口（５）に差し込まれ、吐出口（５）を密閉し、塞いでいるので、キャップ（７）が無くても、調味料入れ容器（４）の吐出口（５）から中身が洩れないのである。
【００２６】
弁当箱内部に保持部（３）を設けるとき、保持部（３）は、盛り付けられているごはんやおかずと接触しない位置に設けた方が良く、弁当箱本体（１）に設けても良いのであるが、弁当箱本体（１）には、ごはんやおかずが盛り付けられていて、保持部（３）を設けて調味料入れ容器（４）を保持した際、ごはんやおかずと接触しないようなスペースが取り難いことが多いので、弁当箱内部に保持部（３）を設けるときは、上蓋部（２）に設けた方が効果的である。
【００２７】
保持部（３）を上蓋部（２）に設けるとき、弁当箱本体（１）にごはんやおかずを盛り付けて、上蓋部（２）を上から被せた際、保持部（３）に取り付けて保持されている調味料入れ容器（４）は下側のごはんやおかずがわを向いているので、弁当箱本体（１）に盛り付けられたごはんやおかずと接触しない上蓋部（２）の位置に保持部（３）を設けるか、保持部（３）に取り付けられている調味料入れ容器（４）と接触しないように、弁当箱本体（１）に盛り付ける、特に、油分やタレが付いているおかずと接触しないように盛り付けると効果的である。
【００２８】
図５は、請求項２の実施例図であり、請求項２では、二つの出っ張り部の先端部分の形状をフラットな形状の保持部（３）とすることで、キャップ（７）が取り付けられている調味料入れ容器（４）の場合、二つの出っ張り部の保持部（３）の間に、調味料入れ容器（４）のキャップ（７）側と底部（６）側の前後から挟み込んで保持しやすくし、この場合、調味料入れ容器（４）は、保持部（３）を構成する二つの出っ張り部のどちら側を向いてキャップ（７）が保持されていても、尖っているキャップ（７）を先端部分がフラット形状の保持部（３）で挟み込んで保持しやすくなるのである。
【００２９】
図６では、台座（８）の上面に請求項１の保持部（３）を設け、台座（８）の裏面を弁当箱の上蓋部（２）内面などに取り付ける取り付け面（９）とすることで、弁当箱本体（１）や上蓋部（２）と、保持部（３）を別々に成形するときや、金属製の弁当箱に保持部（３）を取り付けやすくするために、台座（８）の上面に保持部（３）を設けておく内容を示す参考実施例図である。また、保持部（３）を設けた台座（８）を上蓋部（２）内面などに取り付けるときは、台座（８）の裏面を取り付け面（９）とし、取り付け面（９）を粘着剤や接着剤で上蓋部（２）内面などに取り付ければ良いのである。台座（８）の上面に設ける保持部（３）は、請求項１の保持部（３）でも、請求項２や請求項３の保持部（３）を設けても良いのである。
【００３０】
図７は、請求項３の実施例を示す図であり、調味料入れ容器（４）の筒状部分の側面を左右から挟んで保持できるように、請求項３の保持部（３）は、先端部分が二股に開いた、根元が一本の出っ張り部で構成され、請求項３の保持部（３）に、調味料入れ容器（４）を取り付けるときは、調味料入れ容器（４）を片手の指で摘み、二股に開いた部分に、調味料入れ容器（４）の筒状になっている側面を押し込み、二股に開いた部分で調味料入れ容器（４）の側面を挟んで保持させるのであり、取り外すときは、調味料入れ容器（４）を片手の指で摘み、保持している二股に開いた部分から上に引き上げることで容易に取り付け、取り外しが繰り返し行えるのである。
【００３１】
図８は、請求項３の調味料入れ容器（４）を保持部（３）で保持した状態の断面拡大図であり、調味料入れ容器（４）の筒状部分を先端部分が二股に開いた保持部（３）で左右から挟み込むことで、調味料入れ容器（４）を弁当箱に保持するのである。この場合、保持する調味料入れ容器（４）には、キャップ（７）が付いていた方が良く、調味料入れ容器（４）を保持部（３）に保持させる向きは、キャップ（７）側がどちらを向いていても良いのである。
【００３２】
弁当箱に保持部（３）を設けるとき、保持部（３）の成形方法は、弁当箱を成形する際に、保持部（３）を一緒に成形しても、弁当箱と保持部（３）を別々に成形して、あとから弁当箱に保持部（３）を取り付けてもどちらでも良いのである。
【００３３】
本発明は、主に、駅やコンビニエンスストアや弁当販売店などの小売店で販売されているプラスチックや発砲スチロールなどの弁当箱に、調味料入れ容器（４）を保持するための保持部（３）を設けるのであるが、学校や会社に持って行く、金属製やプラスチック製の使い捨てではない弁当箱にも、保持部（３）を取り付けて応用することができるのである。
【００３４】
本発明は、保持部（３）のデザインや意匠を述べているものではないので、請求項１の場合は、キャップ（７）を外したまま調味料入れ容器（４）を保持部（３）で前後に挟み込んで保持し、請求項２の場合は、キャップ（７）を取り付けた状態で調味料入れ容器（４）を保持部（３）で前後から挟み込んで保持し、請求項３の場合は、調味料入れ容器（４）の側面を左右から保持部（３）で挟み込んで保持することができれば、保持部（３）自体の形状は、図で示した形状と同じ形状には拘らないのである。
【００３５】
【発明の効果】
本発明は、以上述べてきたような内容で実施され、以下に記載されるような効果を奏する。
【００３６】
本発明では、弁当箱に調味料入れ容器を添えるとき、従来のように、盛り付けているおかずなどと一緒に調味料入れ容器が置かれていないため、調味料入れ容器の表面に、おかずなどの油分やタレが付着しづらくなっていて効果的である。
【００３７】
本発明では、調味料入れ容器が、弁当箱の上蓋部内面スペースなど、盛り付けられているおかずなどと、殆ど接触しない位置に保持されているので、従来のように、調味料入れ容器の表面が汚れていないので効果的である。
【００３８】
調味料入れ容器の表面に、おかずから出る油分やタレが殆ど付着していないので、調味料入れ容器を指で摘んでも、摘んだ指は汚れなくて済み効果的である。
【００３９】
調味料入れ容器から中身を出そうとして調味料入れ容器を指で摘んでも、摘んだ指は殆ど汚れないので、お手拭きが付いていない弁当でも、従来のように、汚れた指をきれいにしようとすることはなく便利である。
【００４０】
調味料入れを指で摘んでも、指が殆ど汚れていないので、従来のように、汚れた指で誤って着ている衣服を触って汚してしまうことがなくなり効果的である。
【００４１】
お手拭きが付いていない弁当箱の場合、従来は、調味料入れ容器を摘んだ指が汚れてしまっていたので、洗面所で手が洗えないと不便であったが、本発明では、殆ど指が汚れないので洗面所がない場所でも安心して弁当を食べることができ便利である。
【００４２】
弁当箱に調味料入れ容器が保持されているので、弁当箱を持ち運んでも、従来のように、おかずなどと一緒に調味料入れ容器を盛り付けていないので、調味料入れ容器の表面に、おかずなどから出る油分やタレや盛り付けたキャベツの切れ端などを付着させたまま、調味料入れ容器が弁当箱の中で動くことがなく効果的である。
【００４３】
従来は、おかずと調味料入れ容器が一緒に盛りつけられていることが多いが、プラスチック製の調味料入れ容器と、おかずが接触していることで嫌な思いをする神経質な人にとって、弁当箱の上蓋部を開けたとき、盛り付けられているおかずと接触していない状態で保持されているので効果的である。
【００４４】
請求項１のように、保持部の出っ張り部を鍵爪状として、調味料入れ容器のキャップを外して吐出口に押し込んで密閉した状態で保持すれば、調味料入れ容器にキャップが付いていないので、両手を使うことなく、片手の指で調味料入れ容器を摘んで、保持部から外し、そのまま調味料入れ容器の吐出口から中身を出してかけることができるので便利である。
【００４５】
従来のビニール袋にパックされている調味料入れ容器の場合は、一度開封すると最後まで使い切らないと、置いておくだけで中身が勝手に漏れ出して置き場所に困っていたが、本発明では、筒状の調味料入れ容器を保持部に保持しておけば、いつでも取り付け、取り外しできるので、置き場所に困らないのである。
【００４７】
また、ビニール袋にパックされている調味料入れ容器でも、筒状タイプの調味料入れ容器でも、おかずと一緒に置かれていれば中身を出したあと、調味料入れ容器の置き場所に困り、弁当箱を開けたあとの上蓋部の上や台の上に無造作に置いておいて、手や弁当箱本体がぶつかったりして落下し、衣服を汚したりして困ることがあったが、本発明では、調味料容器を最初から保持し、なおかつ、弁当を食べている間から食べ終わるまで、或いは、食べ終わったあとも保持部に調味料入れ容器を保持しておくことができ、弁当を食べている間、繰り返し、保持することと、保持部から調味料入れ容器を取り外して使用することができるので便利である。
【図面の簡単な説明】
【図１】請求項１の実施例図である。
【図２】請求項１の取り付け図である。
【図３】請求項１の断面図である。
【図４】請求項１の保持部の拡大断面図である。
【図５】請求項２の実施例図である。
【図６】本発明の参考実施例図である。
【図７】請求項３の実施例図である。
【図８】請求項３の保持部の拡大断面図である。
【符号の説明】
１　弁当箱本体
２　上蓋部
３　保持部
４　調味料入れ容器
５　吐出口
６　底部
７　キャップ
８　台座
９　取り付け面
【図１】
2004089637.tif 000003
【図２】
2004089637.tif 000004
【図３】
2004089637.tif 000005
【図４】
2004089637.tif 000006
【図５】
2004089637.tif 000007
【図６】
2004089637.tif 000008
【図７】
2004089637.tif 000009
【図８】
2004089637.tif 000010